(57)【特許請求の範囲】
【請求項１】
コネクタを備え、外面に第１の開口部が設けられた本体と、
前記本体に着脱可能に設けられたキーボードユニットと、
前記本体に挿抜可能に収容されるとともに、前記本体内に設けられたストッパに位置決めされる位置で前記コネクタと接続され、前記第１の開口部から露出した第１の端部と、該第１の端部とは挿抜方向で反対側に位置した第２の端部と、を有した装置と、
前記キーボードユニットを前記本体から外した場合に前記装置の前記第２の端部が露出されるとともに前記本体に収容された冷却ファンが発熱体に対して送風するための空気を吸引可能な第２の開口部が設けられた、前記キーボードユニットを支持した支持板と、
を具備し、前記第２の開口部を通し前記本体外から前記装置の押し出しが可能なコンピュータ装置。
【請求項２】
前記支持板は、前記発熱体と熱的に接続した金属プレートであることを特徴とする請求項１記載のコンピュータ装置。
【発明の詳細な説明】
【０００１】
【発明の属する技術分野】
本発明は、ＣＤ−ＲＯＭ装置や、ＤＶＤ−ＲＯＭ装置等のディスク装置が着脱自在に装着可能なパーソナルコンピュータに関するものである。
【０００２】
【従来の技術】
近年、ノートブック型のパーソナルコンピュータには、ＣＤ−ＲＯＭドライブや、ＤＶＤドライブ、ＣＤ−Ｒドライブなど、種々のディスク装置に挿入された光ディスクメディアにより、大容量の動画像データなどの再生が可能となった。そして、これらディスク装置は、パーソナルコンピュータの使用状況、ユーザーの希望に応じて、それぞれ最適なディスクドライブを選択的に設置し、利用されている。
これら種々のディスク装置を選択的に着脱する際に、従来は、コンピュータ本体を分解し、固定ネジなどを外してディスク装置を取り外す構造、または別に設けられた取り出しレバーなどのイジェクト機構により簡単に取り外し可能なものなどがある。
【０００３】
【発明が解決しようとする課題】
このように、デイスク装置をパーソナルコンピュータに着脱する際に、上述したコンピュータ本体を分解する方法では、本体部の分解のための作業時間が多く必要とされ、また分解するための知識がかなり必要になる等の問題点があった。
また、上述した取り出しレバーなどによる着脱方法においては、取り出しレバーなどを本体外面に設ける必要があり、コストアップや、本体構造が大型化等の問題点が生じていた。
そこで、本発明は、上記した問題点を解決するためになされたものであり、ディスク装置の交換作業を簡便化することができて、かつ簡単な構造でディスク装置の着脱作業を可能するパーソナルコンピュータの構造を提供することを目的とする。
【０００４】
【課題を解決するための手段】
本発明は、上述した問題点を解決するため、外面にスロット部が設けられた本体と、本体に着脱可能に配設されたキーボードユニットと、本体に備えられてキーボードユニットを支持するとともに開口部が設けられた金属プレートと、外面に沿うようにスロット部から露出した端面部と、該端面部とは自己の移動方向の反対側に位置しキーボードユニットを本体から外した場合に開口部から露出する端部とを有し、スロット部に着脱可能に収容されたディスク装置と、を具備したことを特徴とするコンピュータ装置である。
【０００５】
【発明の実施の形態】
以下、図面を参照して、本願発明の実施形態について説明する。図１は、本願発明に関するノートブック型のパーソナルコンピュータの外観斜視図である。本パーソナルコンピュータは、本体１とディスプレイ２がヒンジ３により回動可能に固定されており、本体１には、その上面にキーボード４が設けられており、キーボード４は複数のキーと、ポインティングスティック５が配置されている。
このキーボード４を挟むように、本体の前方部には、アームレスト６と、制御スイッチ部７が設けられている。アームレスト６の中央部には、ポインティングスティク５により移動などしたアイコンを確定、キャンセルなどするクリックボタン８が配置されている。また、制御スイッチ部７は、本パーソナルコンピュータの電源をＯＮ／ＯＦＦする電源スイッチ、インターネットやメールなどをワンタッチで直接起動可能とするワンタッチボタン９が設けられている。そして、キーボード５と、制御スイッチ部７は一体構造でユニット化されており、本体からこのユニットだけを着脱可能となっている。
本体１の側面には、ＣＤ−ＲＯＭドライブなどのディスク装置１０が設けられ、このディスク装置１０を着脱可能とするためのスロット開口１１が設けられている。
【０００６】
このディスク装置１０は、スロット開口１１に挿入された状態では、本体１の外面と、ディスク装置１０の前面はほぼ面一となっている。
本発明は、このディスク装置を取り外し、例えば、ＣＤ−ＲＯＭドライブからＤＶＤ−ＲＯＭドライブに変更する際の着脱を簡便にするための構造を特徴とするもので、その構造について、図２を用いて以下に説明する。
図２は、キーボード５、及び制御スイッチ部７を取り外した状態を示す図である。
このように、キーボード５、制御スイッチ部７を取り外すと、その下面にはキーボード５を支持するために、金属板で形成された金属プレート１１が設けられており、この金属プレートは、キーボード５を支持するとともに、本体内部に設けられたＣＰＵ（図示せず）等の電磁波を遮断する効果もある。
この金属プレート１１は、開口１２ａ〜１２ｃが設けられており、この開口１２ａ〜１２ｃの下面中央には、ＣＰＵなどから発生する熱を冷却するための冷却ファン装置１３が設けられており、開口１２ａ〜１２ｃより空気を吸入して、ＣＰＵへ送風するものである。そして、開口１２ａの下部には、ディスク装置１０の背面の一部である後端部１０ａが露出されている。この後端部１０ａは、位置決め支持するストッパ１４が設けられており、ディスク装置１０はこのストッパ１４に押しあてられることにより固定される。開口１２ａに設けられた後端部１０ａは本発明の特徴とするディスク装置の着脱構造を示すものであり、この後端部１０ａをユーザーが指などで押すことにより、ディスク装置１０を本体が抜き出し、他のディスク装置との入れ替えを可能とするものである。
【０００７】
以下、本実施形態におけるディスク装置１０の着脱動作を説明する。
図１に示すようにパーソナルコンピュータ本体１にディスク装置１０が装着されている状態で、ユーザは、まずキーボード５及び制御スイッチ部７を取り外す。この取り外しは、指などで固定部を外すことにより簡単に取り外しが可能である。キーボード５、及び予備制御スイッチ部７を取り外すと、その下面の金属プレート１１に設けられた開口１２ａに露出されたディスク装置１０の後端部１０ａを利用して、ディスク装置１０を指など押し出して抜く。抜かれた部分に他のディスク装置を挿入し、ストッパ１４まで押しあてることによりディスク装置をセットし、コネクタ（図示せず）に接続させる。
ディスク装置１０のセットが完了した後に、キーボード５、及び制御スイッチ部７を金属プレート１１の上面に戻し、ディスク装置の入れ替えを完了させるものである。
以上、本発明によれば、簡単な構造でディスク装置の入れ替えを実施することが
できるので、作業性が向上し、またコスト低減を実現することができる。また、ディスク入れ換えのための開口をキーボード下面に設けたことにより、冷却ファンの空気吸引口として併用可能となり、実装スペースの削減の効果もある。
【０００８】
【発明の効果】
以上説明したように、本発明によれば、簡単な構造でディスク装置の入れ替えを実施することができるので、作業性が向上し、またコスト低減を実現することができる。また、ディスク入れ換えのための開口をキーボード下面に設けたことにより、冷却ファンの空気吸引口として併用可能となり、実装スペースの削減の効果もある。
【図面の簡単な説明】
【図１】本発明の実施形態を示すパーソナルコンピュータの斜視図。
【図２】同実施形態のパーソナルコンピュータのキーボードユニットを取り外した状態を示す斜視図。
【符号の説明】
１…本体、２…ディスプレイ、３…ヒンジ、４…キーボード、５…ポインティングスティック、６…アームレスト、７…制御スイッチ部、８…クリックボタン、９…ワンタッチボタン、１０…ディスク装置、１１…スロット開口、１２…開口、１３…冷却ファン装置、１４…ストッパ
【図１】
0004649024.tif 000002
【図２】
0004649024.tif 000003